(57)【要約】【課題】電線引き留め部に絶縁カバーと干渉することなく、簡単に装着できる電波障害を防止する金具を提供すること。【解決手段】金属板を略Ｕ字状に折り返して、弾力的に拡開可能な前後の板部２，３で電波障害防止金具１を構成する。前板部２は後板部３より短尺に形成する。両板部２，３にコッターピンを受け入れるための先端からほぼ中央まで切れ込む凹部５，６を設ける。前板部２の両側縁部を矩形状に切り出して板ばね部７を形成する。両板部２，３の両側縁部から折返し部４の両端部にかけて切欠き部８を設け、その輪郭がクレビスから外側に張り出ないように形成する。電波障害防止金具１は、対向するクレビスの一方に前後の板部２，３が内外に跨ぐように装着して、クレビスとアイとのガタをなくし、電線の引き留め部における碍子の電気的接触を安定させる。【選択図】  図４
2004289974.tif 000002
【特許請求の範囲】
【請求項１】
碍子を介して絶縁支持する電線引き留め部におけるクレビスとアイとをコッターピンで連結する連結部からの障害電波の発生を防止する電波障害防止金具において、
相互に対向する一対の前記クレビスの一方をコッターピンの軸線方向に跨いで弾力的に挟み込むように折り返し部を介して連続する前後の板部と、
前記一方のクレビスとアイとの間を押し拡げるように前板部に設けられた板ばね部と、
前記前後の板部がコッターピン周りを跨ぐようにこれを受け入れる凹所と、
前記クレビスの頂部の両側に前記折返し部が張り出さないように前記クレビスより内側に輪郭を形成するための切欠き部とを具備することを特徴とする電線引き留め用碍子の電波障害防止金具。
【請求項２】
前記後板部が前板部より長尺に形成され、
後板部の先端部をクレビスに押し当てることにより、前板部の先端との間を弾力的に押し拡げてクレビスを挿入させることを特徴とする請求項１に記載の電線引き留め用碍子の電波障害防止金具。
【請求項３】
前記折返し部に横方向に接地リード線接続用の端子部を突設したことを特徴とする請求項１に記載の電線引き留め用碍子の電波障害防止金具。
【発明の詳細な説明】
【０００１】
【発明の属する技術分野】
本発明は、電線の引き留め部における碍子の連結部からの電磁波による電波障害を防止する金具に関するものである。
【０００２】
【従来の技術】
電線を引き留めるために、その相互間や他の引き留め金具に連結される碍子は、クレビスとアイにコッターピンを貫通させて止めピンで抜け止めすることにより結合される。従来、コッターピン上で対向する一方のクレビスとアイとの間に挿入して電気的接触を安定させる電波障害防止金具がある。この金具は、一方のクレビスを内外に跨ぐように略Ｕ字状に折り返されて連続する前後の板片を備えた金属板で形成されている。前後両板部にはコッターピンを跨ぐようにこれを受け入れる凹所が形成されている。前板部にはクレビスとアイとの間を押し広げる方向に付勢するばね部が斜めに弾力的に立ち上がるように前板部と一体に形成されている。しかして、この電波障害防止金具は、前後両板部を押し広げながら一方のクレビスに被せれば、アイとの間を板ばね部が押し拡げるので、クレビスとアイとの電気的接触を安定させて電波障害を防止する。
【０００３】
【発明が解決しようとする課題】
電線の引き留め部の活線作業時に、作業者の誤接触を防止するため、引き留め金具や碍子に絶縁カバーを取り付けるが、上記従来の電波障害防止金具においては、クレビスの輪郭が略円弧状を成すにもかかわらず、前後両板部をつなぐ折り返し部の両端部（肩部）がクレビスから外側に張り出てしまい、絶縁カバーと位置的に干渉して、絶縁カバーの装着の妨げになる。また、作業者は絶縁性の作業手袋を装着した状態のまま電波障害防止金具を装着することが比較的難しい。
従って、本発明は、電線引き留め部に絶縁カバーと干渉することなく、簡単に装着できて、電波障害を防止する金具を提供することを課題としている。
【０００４】
【課題を解決するための手段】
上記課題を解決するため、第１の発明においては、碍子Ｇを介して絶縁支持する電線引き留め部におけるクレビスＣｒとアイＥとをコッターピンＣｐで連結する連結部からの障害電波の発生を防止する電波障害防止金具１において、相互に対向する一対のクレビスＣｒの一方をコッターピンＣｐの軸線方向に跨いで弾力的に挟み込むように折り返し部４を介して連続する前後の板部２，３を形成し、一方のクレビスＣｒとアイＥとの間を押し拡げるように前板部２に板ばね部７を設け、前後の板部２，３にコッターピンＣｐ周りを跨ぐようにこれを受け入れる凹所５，６を設け、クレビスＣｒの頂部の両側に折返し部４が張り出さないようにクレビスＣｒより内側に輪郭を形成するための切欠き部８を形成して電線引き留め用碍子の電波障害防止金具１を構成した。
第２の発明においては、後板部３を前板部２より長尺に形成して、後板部３の先端部をクレビスＣｒに押し当てることにより、前板部２の先端との間を弾力的に押し拡げてクレビスＣｒを挿入させるようにした。
第３の発明においては、折返し部４に横方向に接地リード線接続用の端子部９を突設した。
【０００５】
【発明の実施の形態】
図面を参照して本発明の実施の一形態を説明する。
図１において、電線Ｌの引き留め部は、電柱のアームに係止するためのストラップ金具Ｓ１と、二連の碍子Ｇと、電線Ｌを把持する引き留め金具Ｓ２によって構成される。引き留め金具Ｓ２は、電線Ｌを把持するクランプ本体と、碍子ＧのアイＥに連結するクレビスＣｒを端部に備えた連結杆とで略Ｖ字状に構成されている。引き留め金具Ｓ２には活線作業の誤接触を防止する安全用絶縁カバーＣｖが被覆される。ストラップ金具Ｓ１、碍子Ｇ及び引き留め金具Ｓ２は、図２及び図３に示すように、クレビスＣｒとアイＥとにコッターピンＣｐを貫通させて止めピンＰで抜け止めすることにより夫々連結される。電波障害防止金具１は、碍子Ｇや碍子Ｇの後方に位置する引き留め金具Ｓ２のクレビスＣｒに装着される。
【０００６】
図４乃至図７に示すように、電波障害防止金具１は略Ｕ字状に折り返された金属板で形成されており、折返し部４を介して連続する相互間を弾力的に拡開可能な前後の板部２，３で構成されている。前板部２は後板部３より短尺に形成されている。両板部２，３には、コッターピンＣｐを受け入れるために、先端から内窄まりのテーパ状に切れ込んでほぼ中央で円弧状に拡大する凹部５，６が形成されている。前板部２の両側縁部には、矩形状に切り出されて前板部２面から前方斜めに弾力的に起き上がった板ばね部７が夫々形成されている。前後の板部２，３には両側縁部から折返し部４の両端部にかけて切欠き部８が形成されている。折返し部４の一端部には接地リード線接続用の端子部９が一体に連続して突出している。
【０００７】
この電波障害防止金具１においては、電線Ｌの引き留め部における碍子Ｇの前後に位置するクレビスＣｒに取り付ける。即ち、図２及び図３に示すように、電波障害防止金具１は、コッターピンＣｐ上で相互に対向するクレビスＣｒの一方に前後の板部２，３が内外に跨ぐように装着する。このとき、後板部３はクレビスＣｒの外側に配置したまま、一方のクレビスＣｒとアイＥとの間に前板部２を側方から差し込めば、板ばね部７が弾力的に傾斜角を縮小させつつ横倒しになる。前板部２を差し込むとき、後板部３より短尺であるので、クレビスＣｒの側縁部外面に後板部３の端部を押し当てれば、前板部２との間隔が広がるので、後板部３と前板部２との間にクレビスＣｒを容易に挿入できる。前板部２を挿入すると、その凹部５，６にコッターピンＣｐを受け入れるので、電波障害防止金具１をコッターピンＣｐ周りに上方に９０°回転させれば装着が完了する。前板部２の板ばね部７はクレビスＣｒとアイＥとの間に介在してアイＥをクレビスＣｒに常時押し付け、連結のガタをなくすと共に、接触の妨げになる塵埃等の付着を防止し、風などの外力によって電線Ｌの引き留め部に揺れが生じても、碍子Ｇや引き留め金具Ｓ２のコッターピンＣｐ上のクレビスＣｒとアイＥとの電気的接触が安定する。また、電波障害防止金具１は前板部２と後板部３とでクレビスＣｒを挟み込むし、板ばね部７によりクレビスＣｒとアイＥとの間にばね力で留められるので脱落が防止される。さらに、電波障害防止金具１はその輪郭が切欠き部８によりクレビスＣｒから外側に張り出すことがなく、電線引き留め部や碍子に絶縁カバーＣｖを取り付ける場合にも、これと位置的に干渉することがなく、絶縁カバーＣｖの装着を妨げない。電波障害防止金具１は端子部９に必要な接地リード線を接続すれば、碍子Ｇの連結部を接地でき、絶縁効果を増す。
【０００８】
【発明の効果】
以上のように、本発明においては、活線作業の際の作業者の誤接触を防止するための絶縁カバーを電線の引き留め部に取り付ける場合でも、クレビスから張り出すことがなく、絶縁カバーと干渉せず、装着を何ら妨げることがなく、電線の引き留め部におけるクレビスとアイとの電気的接触を安定させて、電波障害を有効に防止することができる。また、作業者は絶縁性の作業手袋を装着したままであっても、金具を簡単に装着することができる。端子部を設けて、接地リード線を接続すれば、絶縁効果を増すことができるという効果を有する。
【図面の簡単な説明】
【図１】電線引き留め部の全体図である。
【図２】本発明に係る電波障害防止金具の装着状態の正面図である。
【図３】電波障害防止金具の装着状態の側面図である。
【図４】電波障害防止金具の斜視図である。
【図５】電波障害防止金具の平面図である。
【図６】電波障害防止金具の正面図である。
【図７】電波障害防止金具の底面図である。
【符号の説明】
１    電波障害防止金具
２    前板部
３    後板部
４    折返し部
５    凹部
６    凹部
７    板ばね部
８    切欠き部
９    端子部
Ｌ    電線
Ｓ１  ストラップ金具
Ｇ    碍子
Ｓ２  引き留め金具
Ｃｖ  絶縁カバー
Ｃｒ  クレビス
Ｅ    アイ
Ｃｐ  コッターピン
【図１】
2004289974.tif 000003
【図２】
2004289974.tif 000004
【図３】
2004289974.tif 000005
【図４】
2004289974.tif 000006
【図５】
2004289974.tif 000007
【図６】
2004289974.tif 000008
【図７】
2004289974.tif 000009